(57)【特許請求の範囲】
【請求項１】
管壁の上部に貫通孔を穿設した流体管の外周面に、前記貫通孔と同軸をなす案内管と、その適所に設けた仕切弁とを有する割Ｔ字管を装着し、前記案内管内に収容した弁体を前記貫通孔を介して流体管内に押し込むようにした弁体の挿入装置であって、
前記案内管の上端部に、前記弁体をねじ送りにより進退移動させる第１押込み手段が、上下に摺動可能として設けられているとともに、前記第１押込み手段の上方に、前記案内管の一部に支持されて移動することにより、前記第１押込み手段を押圧する第２押込み手段が設けられており、前記第１押込み手段及び前記第２押込み手段が、前記貫通孔の中心と前記案内管の管軸とを結ぶ軸線上に設けられていることを特徴とする弁体の２段式挿入装置。
【請求項２】
前記第１押し込み手段が、前記案内管に上下に摺動可能として嵌合されたガイド筒と、このガイド筒内に上下動可能に嵌合され、かつ下端に制水用弁体が取り付けられた筒状の弁棒と、弁棒内に螺合され、かつ上端突出部に回動操作部を有するねじ杆とを備えるものである請求項１に記載の弁体の２段式挿入装置。
【請求項３】
前記ガイド筒及び前記ねじ杆の上端部に、前記案内管の上端部に垂直移動を規制するキャップを、前記ねじ杆の回動操作部が上向きに突出するようにして嵌合した請求項２に記載の弁体の２段式挿入装置。
【請求項４】
前記第２押込み手段が、前記案内管に着脱可能として取付けられたブラケットと、その上端部に上下方向を向いて螺合され、かつ上端部に操作ハンドルを有する押込みねじとを備えるものである請求項１ないし３のいずれかに記載の弁体の２段式挿入装置。
【請求項５】
前記押込みねじの下端に、前記ねじ杆との相対回転を許容するベアリングを設けた請求項４に記載の弁体の２段式挿入装置。
【発明の詳細な説明】
【０００１】
【発明の属する技術分野】
本発明は、例えば不断水工事用の割Ｔ字管に装着される弁体を、流体管の貫通孔を介して管路内に押し込むための２段式挿入装置に関する。
【０００２】
【従来の技術】
一般に、不断水工事に用いられる割Ｔ字管には、穿孔機や分岐管等の着脱時に、流体管よりの流体の流出を一時的に止める仕切弁と、その上方に、流体管の管路内に向かって進退可能な制水用弁体とが取付けられる。
【０００３】
このような仕切弁を有する割Ｔ字管においては、制水用弁体を仕切弁の上方から流体管の管底まで進退移動させるに必要な長尺のロッド等を有することから、弁箱の長さはかなり長くなる。
【０００４】
そのため、流体管が地表より比較的浅い位置に埋設されている際には、弁箱が地表より突出する不具合が生ずる。
【０００５】
このような問題を解決すべく、本願出願人は、実公昭６３−４７３３７号公報に開示されているような割Ｔ字管を既に提案している。
【０００６】
このものは、弁箱（弁蓋）を、外筒部と、これに摺動自在に嵌合された内筒部との二重構造とされ、制水用弁体は、内筒部上端の上蓋を貫通する送りロッドの回動により進退移動可能としてある。
【０００７】
【発明が解決しようとする課題】
上述した従来のものは、内筒部を外筒部内に押し込む手段に、内筒部上端の上蓋の外周部と外筒部のフランジとに取付けた複数のボルトおよびナットを用いているため、制水用弁体の押込み作業が面倒であった。
【０００８】
また、内筒部を外筒部内に互いの軸線を整合させて挿入するためには、複数のねじを少しずつ均等に締付けなければならず、その作業が煩雑でかつ熟練を要する。
【０００９】
本発明は、上記問題点を解決するためになされたもので、弁体の押込み作業を弁体の中心軸線上において極めて容易に行いうるようにした弁体の２段式挿入装置を提供することを目的としている。
【００１０】
【課題を解決するための手段】
上記目的を達成するために、本発明の挿入装置は、管壁の上部に貫通孔を穿設した流体管の外周面に、前記貫通孔と同軸をなす案内管と、その適所に設けた仕切弁とを有する割Ｔ字管を装着し、前記案内管内に収容した弁体を前記貫通孔を介して流体管内に押し込むようにした弁体の挿入装置であって、
前記案内管の上端部に、前記弁体をねじ送りにより進退移動させる第１押込み手段が、上下に摺動可能として設けられているとともに、前記第１押込み手段の上方に、前記案内管の一部に支持されて移動することにより、前記第１押込み手段を押圧する第２押込み手段が設けられており、前記第１押込み手段及び前記第２押込み手段が、前記貫通孔の中心と前記案内管の管軸とを結ぶ軸線上に設けられていることを特徴としている。
本発明の２段式挿入装置によると、まず第２押込み手段の操作により、第１押込み手段全体を案内管内に押し込んだのち、同じ軸線上の第１押込み手段を操作して弁体をねじ送りできるため、進退距離が長くても、２段階に正確にかつ容易に弁体の押込み作業を行うことができる。特に、第２押込み手段を弁体の中心軸線上に設けてあるので、弁体の第１段目の押込み作業を極めて容易に行うことができる。
【００１１】
上記第１押し込み手段が、案内管に上下に摺動可能として嵌合されたガイド筒と、このガイド筒内に上下動可能に嵌合され、かつ下端に弁体が取り付けられた筒状の弁棒と、弁棒内に螺合され、かつ上端突出部に回動操作部を有するねじ杆とを備えているのが好ましい。
このようにすることで、弁体を安定的にかつ確実に進退移動させることができる。
【００１２】
上記ガイド筒及びねじ杆の上端部に、案内管の上端部に垂直移動を規制するキャップを、ねじ杆の回動操作部が上向きに突出するようにして嵌合するのが好ましい。
このようにすることで、第１押込み手段を案内管に安定的に固定し、この後に第１押込み手段を操作するため、水圧等でガイド棒や弁棒等の飛び出し等の危険が回避される。
【００１３】
上記第２押込み手段が、案内管に着脱可能として取付けられたブラケットと、その上端部に上下方向を向いて螺合され、かつ上端部に操作ハンドルを有する押込みねじとを備えているのが好ましい。
このようにすることで、押込み反力をブラケットにより支えながら、第１押込み手段を容易に押圧することができる。
【００１４】
上記押込みねじの下端に、ねじ杆との相対回転を許容するベアリングを設けるのが好ましい。
このようにすることで、第１押込み手段を押圧する際、そのねじ杆が回転するのが防止されるので、弁体が上下方向に位置ずれする恐れはなくなる。
【００１５】
【発明の実施の形態】
以下、本発明の実施例を図面に基づいて説明する。
【００１６】
図１と図２は、それぞれ本発明の側面図と縦断正面図を示すもので、１は、水道管等の流体管で、その上面には貫通孔２が穿設されている。
【００１７】
流体管１における貫通孔２を囲む外周面には、上下１対のサドルよりなる割Ｔ字管３が、貫通孔２の開口部に介装したパッキン４により、水密性を保持して装着されている。
【００１８】
割Ｔ字管３の上部の上方を向く接続筒部３ａには、後記する制水用弁体１８の案内管５の下端部が、パッキン６を介して貫通孔２と同心的に螺着されている。ここで図２に示されるように、貫通孔２の中心と案内管５の管軸とを結ぶ線を軸線Ｃとする。以下、「同軸」とは軸線Ｃ上にあるものとする。案内管５の左側壁に形成された開口部５ａには、仕切弁装置７が、案内管５と直交状に取付けられている。
【００１９】
この仕切弁装置７は、ねじ杆８と、これに螺合してねじ送りされる弁体９とを備え、不断水工事において弁体９を案内管５内に挿入し、流体管１よりの流体を一時的に遮断する際に用いられる。
【００２０】
案内管５の上端のフランジ５ｂにボルト止めされた円筒状の支持ケース１０の上端部には、後記する制水用弁体１８の第１押込み手段１１が、貫通孔２と同軸をなして取付けられている。
【００２１】
第１押込み手段１１は、支持ケース１０の上端部に上下に摺動可能として嵌合されたガイド筒１２と、これに上下に摺動可能かつ相対回転不能として内嵌された円筒状の弁棒１３と、弁棒１３の内面のめねじに螺合されたねじ杆１４とからなり、ねじ杆１４の上端部は、ガイド筒１２により回転可能に保持されている。
【００２２】
ガイド筒１２及びねじ杆１４の上端部は、ねじキャップ１５により覆われており、ねじ杆１４の上端部の角軸部１４ａは、ねじキャップ１５を貫通して上方に突出している。ねじキャップ１５は、その下部内面のめねじ１５ａを、支持ケース１０の上端部の雄ねじ１０ａに螺合することにより、支持ケース１０に螺着しうるようになっている。
【００２３】
弁棒１３における支持ケース１０内に位置する下端部には、心金１６と弾性ゴム等の円柱状のシール部材１７とからなる制水用弁体１８が取付けられている。弁体１８の外径は、流体管１の貫通孔２に挿入可能な外径を有している。
【００２４】
案内管５と支持ケース１０のそれぞれのフランジ５ｂ、１０ｂには、第２押込み手段１９が取付けられている。第２押込み手段１９は、上端をねじ杆１４の上方に位置させて、下端部がフランジ５ｂに着脱可能としてボルト２０止めされた二又状のブラケット２１と、この上端の水平部に、ねじ杆１４と同軸をなして螺挿された押込みねじ２２とからなり、押込みねじ２２の上端の水平部には、操作ハンドル２３が、また下端部に嵌合された保持筒２４内には、ねじ杆１４の角軸部１４ａの上端面と当接可能な押圧板２５が、押込みねじ２２の下端との間に介設したスラストベアリング２６により、押込みねじ２２に対して相対回転自在に設けられている。
【００２５】
前述したねじキャップ１５には、第２押込み手段１９を取付ける前に、ラチェットレンチ２７が取付けられている。
【００２６】
次に、制水用弁体１８の押込み要領について説明する。
【００２７】
まず、案内管５のフランジ５ｂに、支持ケース１０とこれに組付けられた第１押込み手段１１を、ガイド筒１２及び制水用弁体１８を上限まで引き上げた状態で取付けたのち、案内管５と支持ケース１０のフランジ５ｂ、１０ｂに、第２押込み手段１９を取付ける。
【００２８】
この作業を不断水工法により行う際は、図２に示すように、仕切装置７の弁体９を想像線のようにねじ送りし、流体管１よりの流体の案内管５側への流出を阻止して行われる。
【００２９】
ついで、第２押込み手段１９の押込みねじ２２を操作ハンドル２３により回転させて下方に移動させ、図３に示すように、押込みねじ２２の下端の保持筒２４内に設けた押圧板２５により、ねじ杆１４の角軸部１４ａの上端を押圧する。
【００３０】
これにより、ガイド筒１２、弁棒１３等の第１押込み手段１１全体は、下方に押動させられる。この際、押圧板２５はスラストベアリング２６により押込みねじ２２に対して相対回転が許容されているので、ねじ杆１４に押込みねじ２２の回転力が伝わるのが防止される。
【００３１】
ねじキャップ１５が支持ケ−ス１０の上端と当接したところで、第２押込み手段１９による押込み作業は終了し、この時点で制水用弁体１８の下端は、流体管１の貫通孔２の直上に位置する。
【００３２】
ついで、ラチェットレンチ２７によりねじキャップ１５を支持ケ−ス１０の雄ねじ１０ａに螺着し、第１押込み手段１１の上端部を支持ケ−ス１０により保持する。（図３参照）ここでねじキャップ１５の代わりに、バイヨネットジョイントやピン固定等の周知の手段を用いてキャップの上方の移動を規制することも可能である。
ついで、図４に示すように、第２押込み手段１９とラチェットレンチ２７を取外したのち、ねじ杆１４の角軸部１４ａを回動工具等により回転させれば、弁棒１３はねじ送りにより下方に移動させられ、その下端に取付けられた制水用弁体１８が貫通孔２より流体管１内に挿入される。
【００３３】
制水用弁体１８の下面が流体管１の内底面に当接してから、ねじ杆１４をさらに強く回動させると、シ−ル部材１７が拡径方向に弾性変形させられることにより、流体管１内の流体の流れが遮断される。その後、必要により仕切弁装置７が取外され、開口部５ａはめくら蓋により閉塞される。
【００３４】
以上説明したように、本発明の２段式挿入装置によれば、第２押込み手段１９を制水用弁体１８の中心軸線上に設けてあるので、押込みねじ２２を回転させるだけで、制水用弁体１８の第１段目の押込み作業を極めて容易に行うことができる。
【００３５】
また、押込みねじ２２の下端に設けたスラストベアリング２６の作用により、ねじ杆１４を回転させることなく押込みうるので、第１段目の押込み作業時に、制水用弁体１８の位置が上下にずれる不都合が解消される。
【００３６】
押込みねじ２２を回転させる際、制水用弁体１８に加わる流体圧による押込み反力は、二又状のブラケット２１により支持されるので、弁体１８を安定的に押込むことができる。
【００３７】
第２押込み手段１９は、案内管５及び支持ケ−ス１０に対して着脱可能となっているので、第１段目の押込み作業後に取外すことにより、埋設地盤が浅くても地表に突出することはない。
【００３８】
本発明は、上記のように制水用弁体１８を流体管１の上方より押込むもの以外に、流体管１の側壁に貫通孔２が穿設されたものにおいて、割Ｔ字管３を側方に向けて取付け、弁体１８を側方より押込む形式のものにも適用しうる。
【００３９】
本発明は水道管以外の他の流体管にも適応しうるのは勿論である。
【００４０】
【発明の効果】
本発明によれば、次のような効果が得られる。
【００４１】
（ａ）請求項１の発明によれば、第２押込み手段の操作により、第１押込み手段全体を案内管内に押し込んだのち、同じ軸線上の第１押込み手段を操作して弁体をねじ送りできるため、進退距離が長くても、２段階に正確にかつ容易に弁体の押込み作業を行うことができる。特に、第２押込み手段を弁体の中心軸線上に設けてあるので、弁体の第１段目の押込み作業を極めて容易に行うことができる。
【００４２】
（ｂ）請求項２の発明によれば、弁体を安定的にかつ確実に進退移動させることができる。
【００４３】
（ｃ）請求項３の発明によれば、第１押込み手段を案内管に安定的に固定し、この後に第１押込み手段を操作するため、水圧等でガイド棒や弁棒等の飛び出し等の危険が回避される。
【００４４】
（ｄ）請求項４の発明によれば、押込み反力をブラケットにより支えながら、第１押込み手段を容易に押圧することができる。
【００４５】
（ｅ）請求項５の発明によれば、第１押込み手段を押圧する際、そのねじ杆が回転するのが防止されるので、弁体が上下方向に位置ずれする恐れはなくなる。
【００４６】
【図面の簡単な説明】
【図１】本発明の一実施例を示す一部切欠側面図である。
【図２】図１のＩＩ−ＩＩ線に沿う縦断正面図である。
【図３】第２押込み手段により第１押込み手段を押圧した状態を示す縦断正面図である。
【図４】第２押込み手段を取外して、第１押込み手段により弁体を流体管内に押込んだ状態を示す縦断正面図である。
【符号の説明】
１            流体管
２            貫通孔
３            割Ｔ字管
３ａ          接続筒部
４            パッキン
５            案内管
５ａ          開口部
５ｂ          フランジ
６            パッキン
７            仕切弁装置
８            ねじ杆
９            弁体
１０          支持ケ−ス
１０ａ        雄ねじ
１０ｂ        フランジ
１１          第１押込み手段
１２          ガイド筒
１３          弁棒
１４          ねじ杆
１４ａ        角軸部
１５          ねじキャップ
１５ａ        めねじ
１６          心金
１７          シ−ル部材
１８          制水用弁体
１９          第２押込み手段
２０          ボルト
２１          ブラケット
２２          押込みねじ
２３          操作ハンドル
２４          保持筒
２５          押圧板
２６          スラストベアリング
２７          ラチェットレンチ
【図１】
0003877378.tif 000002
【図２】
0003877378.tif 000003
【図３】
0003877378.tif 000004
【図４】
0003877378.tif 000005